(57)【要約】【課題】  本発明は、蛍光発光を有する検体の判定装置に関し、測定準備時間の短縮、明るい部屋での観察、使用場所の制約解除により、作業性、収納性ならびに携帯性を向上させた小型で軽量な携帯型折畳式蛍光発光判定装置を提供する。【解決手段】  携帯型折畳式蛍光発光判定装置は、ワンタッチで組立て及び折たたみが可能な傘の開閉機構と傘地部分に遮光性生地を採用し、一部に覗き窓を設けた外光を遮光する遮光性筐体内に蛍光発光する光源、電源、スイッチを装着し、傘の展開状態でスイッチがオンとなり光源が点灯し、収納状態ではスイッチがオフとなり消灯する傘型の遮光性筐体の判定装置で、明るい部屋での観察を可能としたことを特徴とする。【選択図】  図１
2011196930.tif 000002
【特許請求の範囲】
【請求項１】
蛍光発光を有する媒体の判定装置であって、外光を遮光する遮光性筐体内に、蛍光発光する光源、電源、スイッチを装着して、スイッチをオン・オフすることにより光源を電源と接触・遮断して発光・消光するようにし、かつ、筐体に覗き窓を設けて、筐体の内部に収容した情報媒体から生じる蛍光パターンを目視で観察することを特徴とする携帯型折畳式蛍光発光判定装置。
【請求項２】
筐体の形状は、折畳式の傘型としたことを特徴とする請求項１記載の携帯型折畳式蛍光発光判定装置。
【請求項３】
筐体の開閉と同時にオン・オフを行なう光源を発光させるスイッチを有することを特徴とする請求項１記載の携帯型折畳式蛍光発光判定装置。
【請求項４】
筐体に上ロクロと下ロクロを互いに嵌合自在なように設けて、上ロクロには筒状の板状スイッチを設けると共に下ロクロには一対の鋼球スイッチを設け、また一方の鋼球スイッチは光源の一方の端子に接続し、他方の鋼球スイッチは光源の他方の端子に接続し、筐体を開いた時に上ロクロが下ロクロに嵌合して板状スイッチが一対の鋼球スイッチと接触して光源の両端子を短絡して電源と接続することにより光源をオンにし、筐体を閉じたときに上ロクロと下ロクロの嵌合が解除されて板状スイッチと一対の鋼球が非接触となり、光源をオフするようにしたことを特徴とする請求項１記載の携帯型折畳式蛍光発光判定装置。
【発明の詳細な説明】
【技術分野】
【０００１】
本発明は、蛍光発光を有する媒体の判定装置に関し、作業性と収納性を向上させた小型で軽量な携帯型折畳式蛍光発光判定装置に関する。
本装置の具体的用途は、紙幣・パスポート、金融関連カート゛などの真贋判定、蛍光増白剤・シミの付着などの検出に関する。
【背景技術】
【０００２】
従来から蛍光発光判定は、蛍光探傷の検査や紙幣、パスポート、金融関連カート゛等の真贋判定および蛍光マーキングの判定ならびに蛍光増白剤、シミの付着、ルミノール反応の検出等に使用されてきた。
【０００３】
通常、蛍光発光判定を行なう作業環境の明るさは、日本工業規格ＪＩＳ  Ｚ  ２３４３−１において可視光線を遮蔽した２０ルックス以下の薄暗い部屋又は領域とされている。
このため、蛍光発光判定にあたっては、暗室内に観察者が入り、蛍光発光を有する媒体及び蛍光発光する光源を持ち込み蛍光発光の状況を観察するか、自然光下で蛍光発光する光源を備えた遮光性筐体内に蛍光発光を有する媒体を入れて蛍光発光の状況を観察する方法が行なわれている。
【０００４】
ここで、遮光性筐体の多くは箱型もしくは円筒型であり、可搬性のものであるが成型された筐体（例えば特許文献１参照）である。一方、暗い視野での観察の為の折畳可能な遮光性フード（例えば特許文献２参照）があるが、折畳収納時は筐体の一つの平面の大きさに厚みが加わった立方体のスペースを必要としている。
【先行技術文献】
【特許文献】
【０００５】
【特許文献１】特開２００７−１９３３８６号公報
【特許文献２】特開平８−７５７９２号公報
【特許文献３】特開平１０−１５５６２７号公報
【発明の概要】
【発明が解決しようとする課題】
【０００６】
従来より以下のような問題点があった。
暗室内での観察においては、蛍光発光部分の箇所を認定してから可視光線下での表面状態を観察するために、明るい場所への移動もしくは室内灯の点灯動作が必要であった。
【０００７】
遮光性筐体は、未使用時に設置とほぼ同等の保管のためのスペースが必要であった。
遮光性筐体による観察では、蛍光発光を有する媒体を筐体の中に収めて観察する為、媒体の大きさに制限があり、大きなものは複数回畳み直して観察しなければならなかった。
遮光性筐体は、筐体外に電源供給のためのコードやコンセントの設置が必要なため、使用する場所に制約があった。
【０００８】
本発明は、このような問題点を解決し、測定準備の時間の短縮、明るい部屋での観察、使用場所の制約解除により、作業性、収納性ならびに携帯性の向上を図る為に小型で軽量な携帯型折畳式蛍光発光判定装置を提供することを目的としたものである。
【課題を解決するための手段】
【０００９】
本発明の第１は、外光を遮光する遮光性筐体内に蛍光発光する光源、電池、スイッチを装着し、傘の展開状態でスイッチがオンとなり光源が点灯し、収納状態ではスイッチがオフとなり消灯する携帯型折畳式蛍光発光判定装置である。
【００１０】
本発明の第２は、現場での作業性・保管性を考慮し、小型化をするために、形状を傘型にし、遮光性筐体として、ワンタッチで組立て及び折たたみが可能な傘の開閉機構と傘地部分に遮光性生地を採用し、一部に覗き窓を設けた携帯型折畳式蛍光発光判定装置である。
【００１１】
本発明の第3は、上ロクロに筒状の板状スイッチを設け、下ロクロに鋼球スイッチを設け、上下ロクロの嵌合の有無によってオン・オフが行なわれるスイッチを装着した携帯型折畳式蛍光発光判定装置である。
【００１２】
覗き窓は両眼での観察が行なえる程度の長方形として観察時に顔によって光の漏れ込みをおさえることができる。その結果、測定者の後方から漏れ込む光を少なくし、可視光照度の低下が図られ蛍光発光を有する媒体の観察が容易になる。
【００１３】
展開状態の筐体に納まらない媒体は、光源・電池・配線がロクロと一体化しているため、障害になるものは無く、筐体もしくは媒体を自由にスライドさせることができ、媒体の観察場所を容易に蛍光発光する光源視野内に移動でき、かつ、遮光性生地の裾部によって底面からの光の漏れを防止できる。
【発明の効果】
【００１４】
以上の説明から明らかなように、本発明にあっては次に列挙する効果が得られる。 
（１）光源としてLED を使用し、電源装置を含めスイッチ・配線全てを内蔵して装置化したので、直ちに判定装置として使用できる簡易操作性に優れる。 
【００１５】
（２）形状を傘型にし、遮光性筐体として、ワンタッチで組立て及び折たたみが可能な傘の開閉機構と傘地部分に遮光性生地を採用し、一部に覗き窓を設けたもので、小型化し、現場での作業性・保管性を有し、且つ、軽量で可搬性に優れる。
【００１６】
（３）光源を遮光性筐体内に収容したので、判定装置が自然光下に置かれていても、蛍光発光を確実に識別でき、観察時に暗室等の周囲環境を必要としない。
【図面の簡単な説明】
【００１７】
【図１】実施態様を示す携帯型折畳式蛍光発光判定装置の斜視図ある。
【図２】収納状態を示す携帯型折畳式蛍光発光判定装置の斜視図ある。
【図３】使用状態を示す判定装置の要部の側面図である。
【図４】上ロクロ部の側面図である。
【図５】下ロクロ部の側面図である。
【図６】使用状態を示す上下ロクロ部の詳細な断面図である。
【発明を実施するための最良の形態】
【００１８】
本発明を実施するための最良の形態について説明する。
携帯型折畳式蛍光発光判定装置は、現場での作業性、携帯性・保管性を考慮し、形状を傘型にしたものである。この傘の骨組みは従来の折畳式防虫カバー（例えば特許文献３参照）と同類の構造である。
【００１９】
把持部１は輪状のテープで、引き紐２を介して支柱５ａに固着している。傘生地８は遮光性生地を用い上部に覗き窓９を一箇所設けてある。
収容部５ｂは中空で内部に配線１１と鋼球スイッチ１０ａと押圧体１５を収容している。
配線１１は一対であり、一方は一端を一方の鋼球スイッチ１０ａに固着し、他端を光源の一方の端子に接続し、他方は、一端を他方の鋼球スイッチ１０ａに固着し、他端を光源の他方の端子に接続している。
鋼球スイッチ１０ａは支柱５ａの中央部に取付けられて、その外側部分が支柱５ａに設けた孔から外部へ突出している。
押圧体１５は円筒状のプラスチックチューブ１５ａとプラスチックチューブ１５ａ内の上部に保持したスプリング１５ｂとからなる。
スプリング１５ｂは一対の鋼球スイッチ１０ａ間に配置され鋼球スイッチ１０ａを外部へ押圧付勢している。また、プラスチックチューブ１５ａは鋼球スイッチ１０ａ間を電気的に断絶している。
スイッチ１０は一対の鋼球スイッチ１０ａと上ロクロ４に装着された一体型の円筒状の板状スイッチ１０ｂとからなる。
ライト部１４はベース部１４ａと着脱部１４ｂとからなり、ネジ部Ｓにより着脱ができる。着脱部１４ｂは電池１２と蛍光発光する光源（ＬＥＤ）１３ならびに透明なプラスチックからなる発光部１４ｃを収納している。
【００２０】
本発明を使うときは、把持部１を持って、引き紐２を引き上げ、傘を展開状態にして、ハジキ３によって固定し筐体とする。
このとき、上ロクロ４が下ロクロ５に嵌合して板状スイッチ１０ｂが一対の鋼球スイッチ１０ａと接触して光源１３の両端子を短絡して電池１２と接続することにより光源１３をオンにする。
この筐体を蛍光発光を有する媒体に被せることによって、検査対象部位に暗室状態が作られ、覗き窓９より内部に置かれた蛍光発光を有する媒体を観察する。
傘生地８に遮光性生地を用い、裾部８ａに生地を廻らすことによって、両手を裾から入れて蛍光発光を有する媒体もしくは筐体を左右に移動しても筐体内部への外光の漏れが防止できる。
【００２１】
収納時は、ハジキ３を押下することにより、傘が閉じ、筐体は棒状になる。
このとき、上ロクロ４と下ロクロ５の嵌合が解除されて板状スイッチ１０ｂと一対の鋼球スイッチ１０ａが非接触となり、光源１３をオフにする。
これにより、配線コード、電池、ＬＥＤが内蔵され、保管・使用時において、電源の入切の操作やコードの絡みつきなどの配慮が不要になり、かつ、切り忘れによる電池の消耗も回避できる。また、この結果収納に場所をとらず、保管・携帯性が向上する。
【００２２】
この種の判定は従来、外部光の影響の少ない暗室等で行う必要があったが、本発明の判定装置は遮光性筐体を備えているので、明るい室内環境でも容易に判定を行うことができる。
【００２３】
蛍光発光する光源の個数、形状、大きさは使用目的に応じて適宜選択できる。
また、開閉に合わせてオン・オフする形態には、受骨・親骨などを導線として組み込む方法などがある。
【符号の説明】
【００２４】
１    把持部
２    引き紐
３    ハジキ
４    上ロクロ
５    下ロクロ
５ａ  支柱
５ｂ  収容部
６    親骨
７    受骨
８    傘生地
８ａ  裾部
９    覗き窓
１０    スイッチ
１０ａ  鋼球スイッチ
１０ｂ  板状スイッチ  
１１    配線
１２    電池
１３    蛍光発光する光源（ＬＥＤ）
１４    ライト部
１４ａ  ベース部
１４ｂ  着脱部
１４ｃ  発光部
１４ｄ  プラスチックチューブ
１５    押圧体
１５ａ  プラスチックチューブ
１５ｂ  スプリング
Ｌ      折り目  
Ｓ      ネジ部
【図１】
2011196930.tif 000003
【図２】
2011196930.tif 000004
【図３】
2011196930.tif 000005
【図４】
2011196930.tif 000006
【図５】
2011196930.tif 000007
【図６】
2011196930.tif 000008